(57)【要約】【課題】複数の担当者により編集された複数のブロック単位のＤＴＰデータの効率的な媒体ページレイアウトを可能とする媒体レイアウト支援システム等を提供する。【解決手段】ページレイアウト装置１０３は、媒体を構成するページ２１上に、担当者別に商品情報を掲載するブロック２２を設定し、ブロック情報を設定し、テンプレート情報３２０を生成する。担当者毎に、制作担当のブロック２２内に選択された商品情報を関連付け、媒体の制作に必要な当該ブロック２２のブロックＩＤを付与したブロック制作データ３３０を生成する。担当者による編集後、テンプレート情報に基づいて、生成した各ブロック制作データ３３０を、ブロック制作データに付与されるブロックＩＤに対応付けられるブロック２２に配置し媒体制作データ３４０を生成する。【選択図】図１１
2009080721.tif 000002
【特許請求の範囲】
【請求項１】
商品情報、掲載情報を記憶、管理するデータベースを有し、前記データベースを操作、管理するサーバに、ネットワークを介して接続され、クライアント端末からなるページレイアウト装置であって、
前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、
前記ページ上に制作担当のユーザ別に指定されたブロックに応じて、当該ブロックの位置サイズとブロックＩＤを前記ブロック情報に設定し、前記テンプレート情報を生成するテンプレート生成手段と、
制作担当の前記ブロック内で、前記データベースから取得した商品情報を、指定されたコマに掲載し、選択された商品情報を関連付ける商品割付手段と、
前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成手段と、
前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成手段と、
を具備することを特徴とするページレイアウト装置。
【請求項２】
前記商品情報は、商品のスペックデータである文字データ、及び／又は前記商品の素材情報である画像データであることを特徴とする請求項１記載のページレイアウト装置。
【請求項３】
前記ブロック制作データ、又は前記媒体制作データは、前記情報媒体の一部又は全体のページレイアウトを構成する文字データ、及び／又は画像データからなることを特徴とする請求項１記載のページレイアウト装置。
【請求項４】
クライアント端末からなるページレイアウト装置と、商品情報、掲載情報を記憶、管理するデータベースを有し、前記商品情報、前記掲載情報を提供するサーバと、がネットワークを介して接続される媒体レイアウト支援システムであって、
前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、
前記クライアント端末は、
前記ページ上に制作担当のユーザ別に指定されたブロックに応じて、当該ブロックの位置サイズとブロックＩＤを前記ブロック情報に設定し、前記テンプレート情報を生成するテンプレート生成手段と、
制作担当の前記ブロック内で、前記データベースから取得した商品情報を、指定されたコマに掲載し、選択された商品情報を関連付ける商品割付手段と、
前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成手段と、
前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成手段と、
を具備することを特徴とする媒体レイアウト支援システム。
【請求項５】
クライアント端末からなるページレイアウト装置と、商品情報、掲載情報を記憶、管理するデータベースを有し、前記商品情報、前記掲載情報を提供するサーバと、がネットワークを介して接続される媒体レイアウト支援システムにおける媒体レイアウト支援方法であって、
前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、
前記クライアント端末が実行する、
前記ページ上に制作担当のユーザ別に指定されたブロックに応じて、当該ブロックの位置サイズとブロックＩＤを前記ブロック情報に設定し、前記テンプレート情報を生成するテンプレート生成ステップと、
制作担当の前記ブロック内で、前記データベースから取得した商品情報を、指定されたコマに掲載し、選択された商品情報を関連付ける商品割付ステップと、
前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成ステップと、
前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成ステップと、
を具備することを特徴とする媒体レイアウト支援方法。
【請求項６】
コンピュータを請求項１から請求項３のいずれかに記載のページレイアウト装置として機能させるプログラム。
【請求項７】
コンピュータを請求項１から請求項３のいずれかに記載のページレイアウト装置として機能させるプログラムを記録した記録媒体。
【発明の詳細な説明】
【技術分野】
【０００１】
本発明は、媒体レイアウト支援システムに係り、特に、媒体制作データのブロック単位のレイアウト方法に関する。媒体は、チラシ、カタログ等をいう。
【背景技術】
【０００２】
従来から、カタログ、チラシなど大量の商品情報データに関わる印刷物の編集制作に適した、データベースを具備したページレイアウトシステムが実用化されている（例えば、特許文献１）。
【０００３】
更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００４】
【特許文献１】特開２００４−２２０５４８号公報
【発明の開示】
【発明が解決しようとする課題】
【０００５】
大型チラシのＤＴＰ制作する場合には、作業効率と作業時間を考慮して、紙面を分割して、複数のＤＴＰオペレータが並行してＤＴＰ作業を行う。作業が完了すると、分割されたＤＴＰデータを、分割時のラフイメージをベースに手作業で１ページの紙面データとして作成していた。尚、ＤＴＰデータとは、専用の製版システムではなく普通のコンピュータを用いて、デザインから製版の工程を全てデジタル処理により行うＤＴＰに用いられるデータのことである。
しかしながら、制作担当者である各ＤＴＰオペレータが作成した分割データを、手作業で貼り付け、位置調整等を行い、媒体制作が完了するので、マージ作業に人手と作業時間を要し、作業効率の低下を招く原因となっていた。また、分割データを配置する際ずれも生じ、作業精度の低下を招いていた。
【０００６】
本発明は、以上の点に鑑みてなされたものであり、複数の担当者により編集された複数のブロック単位のＤＴＰデータの効率的な媒体ページレイアウトを可能とする媒体レイアウト支援システム等を提供することを目的とする。
【課題を解決するための手段】
【０００７】
前述した目的を達成するために第１の発明は、商品情報、掲載情報を記憶、管理するデータベースを有し、前記データベースを操作、管理するサーバに、ネットワークを介して接続され、クライアント端末からなるページレイアウト装置であって、前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、前記ページ上に制作担当のユーザ別に指定されたブロックに応じて、当該ブロックの位置サイズとブロックＩＤを前記ブロック情報に設定し、前記テンプレート情報を生成するテンプレート生成手段と、制作担当の前記ブロック内で、前記データベースから取得した商品情報を、指定されたコマに掲載し、選択された商品情報を関連付ける商品割付手段と、前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成手段と、前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成手段と、を具備することを特徴とするページレイアウト装置である。
【０００８】
「商品情報」は、商品の文字データ（スペックなど）や、商品の画像データ（素材情報）等からなる。
「情報媒体（媒体）」は、具体的には、媒体、カタログ等をいう。紙に印刷されるか、デジタルデータで利用されるかは問わない。
「ページ」は情報媒体を構成し、ページ上に少なくとも１つ以上の複数の商品情報を制作、掲載する制作担当者別の「ブロック」を有する。各ブロック内に、コマ割りに応じて、少なくとも１つ以上の「コマ（掲載領域）」を有し、「コマ（掲載領域）」には、１つの商品情報が掲載される。
「テンプレート情報」は、制作担当者別の１つ以上のブロック情報からなり、「ブロック情報」は、情報媒体を構成するページ毎の、互いに関連する複数の商品情報を掲載するコマからなるブロックの位置、サイズ、ブロックＩＤを有する。
「ブロック制作データ」、「媒体制作データ」は、情報媒体の一部又は全体のページレイアウトを構成する文字データ、及び／又は画像データからなるＤＴＰデータである。
【０００９】
第１の発明では、媒体のページレイアウトに対して、制作担当者別のブロック制作データのマージ作業の作業時間の短縮、作業精度の向上を図ることを可能とし、更に、効率的なレイアウト作業の結果をその後のＤＴＰ作業に無駄なくスムーズに利用できるチラシ情報制作システムを提供できる。
【００１０】
また、第２の発明は商品情報、掲載情報を記憶、管理するデータベースを有し、前記データベースを操作、管理するサーバに、ネットワークを介して接続され、クライアント端末からなるページレイアウト装置であって、前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、前記ページ上に制作担当のユーザ別に指定されたブロックに応じて、当該ブロックの位置サイズとブロックＩＤを前記ブロック情報に設定し、前記テンプレート情報を生成するテンプレート生成手段と、制作担当の前記ブロック内で、前記データベースから取得した商品情報を、指定されたコマに掲載し、選択された商品情報を関連付ける商品割付手段と、前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成手段と、前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成手段と、を具備することを特徴とするページレイアウト装置である。
【００１１】
第２の発明は、第１の発明のページレイアウト装置と、データベース管理を行い、商品情報、掲載情報を提供するサーバから構成される媒体レイアウト支援システムに関する発明である。
【００１２】
また、第３の発明は、クライアント端末からなるページレイアウト装置と、商品情報、掲載情報を記憶、管理するデータベースを有し、前記商品情報、前記掲載情報を提供するサーバと、がネットワークを介して接続される媒体レイアウト支援システムにおける媒体レイアウト支援方法であって、前記データベースは、前記ページレイアウト装置により作成される、情報媒体を構成するページ毎の、前記商品情報を掲載する少なくとも１つのコマからなるブロックに対応付けられる少なくとも１つのブロック情報を有するテンプレート情報を保持するデータベースであって、前記クライアント端末が実行する、前記ページ上に制作担当のユーザ別に指定されたブロックに応じて、当該ブロックの位置サイズとブロックＩＤを前記ブロック情報に設定し、前記テンプレート情報を生成するテンプレート生成ステップと、制作担当の前記ブロック内で、前記データベースから取得した商品情報を、指定されたコマに掲載し、選択された商品情報を関連付ける商品割付ステップと、前記商品割付手段により作成したブロックの前記商品情報の割付情報から、前記情報媒体の制作に必要な当該ブロックのブロック制作データを生成し、当該ブロックのブロックＩＤを付与して前記データベースに保存するブロック制作データ生成ステップと、前記テンプレート情報に基づいて、前記データベースに保持されている各ブロック制作データを、前記ブロック制作データに付与されるブロックＩＤに対応付けられるブロックの位置に配置し、前記情報媒体を構成するページの媒体制作データを生成する媒体制作データ生成ステップと、を具備することを特徴とする媒体レイアウト支援方法である。
【００１３】
第３の発明は、第２の発明の媒体レイアウト支援システムのサーバ及びクライアント端末により実行される媒体レイアウト支援方法に関する発明である。
【００１４】
第４の発明は、コンピュータを第１の発明のページレイアウト装置として機能させるプログラムである。
第５の発明は、コンピュータを第１の発明のページレイアウト装置として機能させるプログラムを記録した記録媒体である。
【００１５】
上述のプログラムをＣＤ−ＲＯＭ等の記録媒体に保持させて流通させてもよいし、このプログラムを通信回線を介して送受することもできる。
【発明の効果】
【００１６】
本発明は、複数の担当者により編集された複数のブロック単位のＤＴＰデータの効率的な媒体ページレイアウトを可能とする媒体レイアウト支援システム等を提供することができる。
【発明を実施するための最良の形態】
【００１７】
以下に、添付図面を参照しながら、本発明に係る媒体レイアウト支援システム等の好適な実施形態について詳細に説明する。なお、以下の説明および添付図面において、略同一の機能構成を有する構成要素については、同一の符号を付することにより重複説明を省略することにする。
【００１８】
図１は、本発明の本実施の形態に係る媒体レイアウト支援システム１００の概略構成を示す図である。
【００１９】
図１は、媒体レイアウト支援システム１００の１例であり、図１に示すように、媒体レイアウト支援システム１００は、サーバ１０１、複数のクライアント端末１０３等が、ネットワーク１０９を介して接続されて構成される。
【００２０】
ネットワーク１０９は、インターネット、ローカルエリアネットワーク（ＬＡＮ）、社内ＬＡＮ等のネットワークであり、有線、無線を問わない。
【００２１】
サーバ１０１は、サーバコンピュータ等であり、データベース管理手段１１１を有する。データベース管理手段１１１は、データベースエンジンであり、クライアント端末１０３からの要求に応じて、商品情報データベース３０１及び掲載情報データベース３０２への検索、参照、登録、削除等の各種要求に対する該当処理を行う。尚、商品情報を記憶、管理する商品情報データベース３０１と、掲載情報を記憶管理する掲載情報データベース３０２を合わせて「データベース」と称す。
【００２２】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３は、ページレイアウト装置であり、サーバ１０１の商品情報データベース３０１を利用して媒体、カタログ等の媒体制作時における、ページレイアウト及び商品割り付け処理を行う。
尚、媒体とは、情報媒体であり、具体的には、チラシ、商品カタログ等をいう。紙に印刷されるか、デジタルデータで利用されるかは問わない。
【００２３】
クライアント端末（ページレイアウト装置）１０３は、ブロック割付手段１２１、テンプレート生成手段１２２、ブロック商品割付手段１２３、ブロック制作データ生成手段１２４、媒体制作データ生成手段１２５等を有する。
【００２４】
ブロック割付手段１２１は、媒体を構成するページ２１上に、商品情報を掲載する少なくとも１つのコマ（掲載領域）２３からなる制作担当者別のブロック２２を設定する。
テンプレート生成手段１２２は、ブロック２２の位置、サイズとブロックＩＤをブロック情報に設定し、テンプレート情報３２０を生成する。
ブロック商品割付手段１２３は、制作担当のブロック２２内で、商品情報データベース３０１から取得した１つ以上の商品情報群から選択された商品情報を、指定されたコマ２３に掲載し、選択された商品情報を関連付ける。
ブロック制作データ生成手段１２４は、作成したブロックの商品情報の割付情報から、媒体の制作に必要な当該ブロック２２のブロック制作データ３３０を生成し、当該ブロック２２のブロックＩＤを付与して掲載情報データベース３０２に保存する。
媒体制作データ生成手段１２５は、テンプレート情報３２０に基づいて、生成した各ブロック制作データ３３０を、ブロック制作データに付与されるブロックＩＤに対応付けられるブロック２２に配置し、媒体を構成するページ２１の媒体制作データ３４０を生成する。
【００２５】
尚、本実施の形態の媒体レイアウト支援システム１００は、ＷＷＷ（Ｗｏｒｌｄ  Ｗｉｄｅ  Ｗｅｂ）技術を用いて実現し、サーバ１０１はＷｅｂサーバを、クライアント端末１０３はＷｅｂブラウザを搭載し、サーバ１０１とクライアント端末１０３は、夫々、Ｗｅｂサーバ、Ｗｅｂブラウザを介して、データの送受信を行う。
【００２６】
次に、サーバ１０１のハードウェア構成を説明する。図２は、サーバ１０１のハードウェア構成図である。
【００２７】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２８】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２９】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３０】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う各種データベース管理処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３１】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３２】
通信制御部２０４は、通信制御装置、通信ポート等を有し、サーバ１０１とネットワーク１０９間の通信を媒介する通信インタフェースであり、ネットワーク１０９を介して、サーバ１０１と、クライアント端末１０３間の通信制御を行う。
【００３３】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３４】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３５】
印刷部２０７は、プリンタであり、印刷出力処理を行う。
システムバス２０９は、各装置間の制御信号、データ信号等の授受を媒介する経路である。
【００３６】
次に、図３を参照しながら、サーバ１０１の記憶部２０２が保持する情報について説明する。図３は、記憶部２０２が保持する情報を示す図である。
【００３７】
記憶部２０２内には、複数の商品情報データベース３０１、掲載情報データベース３０２、及び制御プログラム３９１、アプリケーションプログラム３９２等が格納されている。
【００３８】
図４は、商品情報データベース３０１と掲載情報データベース３０２のデータ構造を示す図である。
図４に示すように、商品情報データベース３０１は、複数の商品情報３１０を有する。尚、サーバ１０１が管理する商品情報データベース３０１は、必要に応じて、複数存在してもよい。
【００３９】
商品情報３１０は、商品情報ＩＤ、商品のスペック情報３１１（文字データ）、商品の素材情報３１２（画像データ）等からなる。
【００４０】
尚、商品情報データベース３０１のデータ構成は、この構成に限られるものではない。
【００４１】
掲載情報データベース３０２は、クライアント端末（ページレイアウト装置）１０３により作成されるテンプレート情報３２０、ブロック制作データ３３０、媒体制作データ３４０を有する。
テンプレート情報３２０は、媒体を構成するページ２１毎の商品情報３１０を掲載する少なくとも１つのコマ２３からなるブロック２２に対応付けられる少なくとも１つのブロック情報３２１を有する。ブロック情報３２１は、ブロックＩＤ、ブロック割情報（ブロックサイズ、ブロック位置情報）からなる。
ブロック制作データ３３０は、配置するブロックのブロックＩＤと、媒体２１のページレイアウトの一部を構成するブロック２２の文字データ、及び／又は画像データからなる。
媒体制作データ３４０は、ＤＴＰデータであり、媒体のページレイアウトを構成する文字データ、及び／又は画像データからなる。
【００４２】
尚、掲載情報データベース３０２のデータ構成は、この構成に限られるものではない。
【００４３】
制御プログラム３９１は、サーバ１０１の各構成部分を駆動制御するプログラムであり、ＯＳ（オペレーティングシステム）に相当する。
アプリケーションプログラム３９２は、サーバ１０１が行うデータ管理手段１１１に相当する実行可能プログラムである。
【００４４】
図５は、ページレイアウトの情報のデータ構成を示す図である。
図５に示すように、作成するページレイアウトの情報は、ページ２１、ブロック２２、コマ（掲載領域）２３の階層構造でデータを管理する。
ページ２１は媒体（情報媒体）を構成し、ページ２１上に少なくとも１つ以上の商品情報を掲載するまとまった領域であるブロック２２を有する。各分類領域２２内に、コマ割りに応じて、少なくとも１つ以上のコマ（掲載領域）２３を有し、コマ（掲載領域）２３には、１つの商品情報３１０が掲載される。
【００４５】
次に、図６を参照しながら、クライアント端末（ページレイアウト装置）１０３のハードウェア構成を説明する。図６は、クライアント端末１０３のハードウェア構成図である。
【００４６】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００４７】
尚、記憶部４０２には、プログラムに関しては、ＯＳ（オペレーティングシステム）に相当する制御プログラム３９１や、本コンピュータを適用するクライアント端末（ページレイアウト装置）１０３が行う後述の処理に相当する（図７、図８参照）実行可能プログラムであり、ブロック割付手段１２１、テンプレート生成手段１２２、ブロック商品割付手段１２３、ブロック制作データ生成手段１２４、媒体制作データ生成手段１２５等に該当するページレイアウト処理プログラムである。これらの各プログラムコードは、制御部４０１により必要に応じて読み出されてＲＡＭに移され、ＣＰＵに読み出されて各種の手段として実行される。
【００４８】
次に、本発明の特徴点であるブロック割付手段１２１、テンプレート生成手段１２２、ブロック商品割付手段１２３、ブロック制作データ生成手段１２４、媒体制作データ生成手段１２５の処理に相当するクライアント端末（ページレイアウト装置）１０３のブロック単位の複数のＤＴＰデータのページレイアウト処理の処理動作について説明する。
【００４９】
クライアント端末１０３の記憶部４０２には、アプリケーションプログラム３９２であるページレイアウト処理プログラムがインストールされており、以下のクライアント端末１０３のページレイアウト処理（ブロック割付手段１２１、テンプレート生成手段１２２、ブロック商品割付手段１２３、ブロック制作データ生成手段１２４、媒体制作データ生成手段１２５等）は、クライアント１０３の制御部４０１によって行われる。
サーバ１０１の記憶部２０２には、アプリケーションプログラム３９２であるデータベース管理プログラムがインストールされている。以下のサーバ１０１の処理は、このデータベース管理プログラムの制御に従って、サーバ１０１の制御部２０１によって行われる。
【００５０】
まず、図７、図１０を参照しながら、ブロック割付手段１２１、テンプレート生成手段１２２に相当する、ユーザ（例えば、レイアウト作業を統括する管理者）がログインし、ページ全体の制作担当者別のブロック、コマ割り、及びテンプレート生成処理の処理手順を説明する。
図７は、ブロック割付処理、テンプレート生成処理の処理手順を示すフローチャートである。
図１０は、担当者別のブロック割付とテンプレート生成処理の画面遷移図である。
【００５１】
クライアント端末（ページレイアウト装置）１０３の制御部４０１は、サーバ１０１にアクセスし、データベースにログイン要求を行う（ステップＳ７０１）。
【００５２】
例えば、レイアウト作業を統括する管理者Ｓがログインし、クライアント端末１０３の制御部４０１は、サーバ１０１の所定のＵＲＬを指定してサーバ１０１にアクセスし、サーバ１０１から受信したログイン画面３０に従って、入力されたユーザＩＤ、パスワード、サーバ名をサーバ１０１に送信する（図１０（１）データベースへのログイン）。
【００５３】
サーバ１０１の制御部２０１は、受け取ったユーザＩＤ、パスワード等からユーザ認証を行い、正しくユーザ認証された場合、指定されたサーバ名に応じた商品情報データベース３０１、掲載情報データベース３０２を設定、接続する（ステップＳ７０２）。
【００５４】
クライアント端末１０３の制御部４０１は、レイアウト画面４０を表示する（ステップＳ７０３）。制御部４０１は、レイアウト画面４０に、チラシに対応付けられたレイアウトエリア４１上に作業を行うページ２１を表示する（図１０（２）掲載ページ表示）。
【００５５】
制御部４０１は、ページ２１に担当者別のブロック２２割り、コマ２３割りを設定し（ステップＳ７０４）、各ブロック２２毎にブロックＩＤを設定する（ステップＳ７０５）（図１０（３）ブロック、コマ割りの設定）。制御部４０１は、担当者別に指定された少なくとも１つのブロック２２に基づいて、指定されたブロック枠を表示し、当該ページに関連付けられる少なくとも１つのブロック情報３２１を作成する。ブロック情報３２１として、関連付けられるブロックＩＤ、ブロックサイズ、ブロック位置情報等を設定する。
【００５６】
制御部４０１は、生成した複数のブロック情報３２１からなるテンプレート情報３２０を掲載情報データベース３０２に登録、保存要求を送信する（ステップＳ７０６）。
サーバ１０１の制御部２０１は、受信したテンプレート情報３２０を掲載情報データベース３０２に登録、保存する（ステップＳ７０７）。
【００５７】
次に、図８、図１１を参照しながら、担当者のユーザがログインし、担当ブロック２２の商品割付等のページレイアウト作業を行うページレイアウト処理の処理手順を説明する。
図８は、担当者による商品割付とブロック制作データ生成処理の処理手順を示すフローチャートである。
図１１は、担当者による商品割付とブロック制作データ生成処理と媒体制作データ生成処理等のページレイアウト処理の画面遷移図である。
【００５８】
ユーザ（例えば、担当者Ｘ）がログインし（ステップＳ８０１、Ｓ８０２）、クライアント端末１０３の制御部４０１は、レイアウト画面４０を表示する（ステップＳ８０３）。制御部４０１は、選択したチラシに対応付けられたテンプレート情報３２０に基づいて、レイアウトエリア４１上に作業を行う担当するブロック２１−１を表示する（ステップＳ８０４）。制御部４０１は、担当するブロック２２のコマ２３に対して、商品割付し（ステップＳ８０５）、商品情報３１０の割付結果を表示する（ステップＳ８０６）。ブロック２２−１の全てのコマ２３に対して商品割付を行う（図１１（１）担当者Ｘによる担当ブロック２２−１の商品割付）。
【００５９】
商品割付が全て終了すると、制御部４０１は、商品割付に基づいて、生成したブロック制作データ３３０−１を掲載情報データベース３０２に登録、保存要求を送信する（ステップＳ８０７）。
サーバ１０１の制御部２０１は、受け取ったブロック制作データ３３０を掲載情報データベース３０２に登録、保存する（ステップＳ８０８）。
【００６０】
同様に、担当者Ｙ、担当者Ｚのユーザはログインし、夫々担当するブロック２２−２、２２−３に対して、商品割付を行い、生成した各ブロック制作データ３３０−２、３３０−３を掲載情報データベース３０２に登録、保存する（図１１（２）担当者Ｙによる担当ブロック２２−２の商品割付、（３）担当者Ｚによる担当ブロック２２−３の商品割付））。
【００６１】
次に、図９、図１１を参照しながら、各ブロック制作データのマージによる媒体制作データ生成処理等のページレイアウト処理の処理手順を説明する。
図９は、各ブロック制作データのマージによる媒体制作データ生成処理の処理手順を示すフローチャートである。
【００６２】
各担当者Ｘ、Ｙ、Ｚによるブロック制作データ３３０を制作完了すると、例えばユーザ（管理者Ｓ）のマージ要求に応じて、クライアント端末１０３の制御部４０１は、制作する媒体（チラシ）のテンプレート情報３２０の読み出し要求を送信し（ステップＳ９０１）、サーバ１０１の制御部２０１は、掲載情報データベース３０２の該当するテンプレート情報３２０を抽出し、送信する（ステップＳ９０２）。
【００６３】
クライアント端末１０３の制御部４０１は、取得したテンプレート情報３２０に基づいて、順次、ブロック制作データ３３０の読み出し要求を送信し（ステップＳ９０３）、サーバ１０１の制御部２０１は、掲載情報データベース３０２の該当するブロック制作データ３３０を抽出し、送信する（ステップＳ９０４）。
制御部４０１は、取得したブロック制作データ３３０をテンプレート３２０の該当するブロック２２の位置情報に基づいて、レイアウトエリア４１に配置する（ステップＳ９０５）。
全ブロック２２に対して、ステップＳ９０３からステップＳ９０５のブロック制作データ３３０の配置処理を全ブロック２２に対して行う（ステップＳ９０６のＮｏ）。
【００６４】
全ブロック２２のマージ処理を終了すると（ステップＳ９０６のＹｅｓ）、生成された複数のブロック制作データ３２０からなる媒体制作データ３４０の登録、保存要求を送信する（ステップＳ９０７）。
サーバ１０１の制御部２０１は、受け取った媒体制作データ３４０を掲載情報データベース３０２に登録、保存する（ステップＳ９０８）。
【００６５】
以上説明したように、本発明の実施の形態によれば、商品情報データベース３０１と、媒体のテンプレート情報３２０、ブロック制作データ３３０、媒体制作データ３４０等を記憶管理する掲載情報データベース３０２を有するサーバ１０１に接続されるページレイアウト装置１０３は、媒体を構成するページ２１上に、担当者別に商品情報を掲載する少なくとも１つのコマ（掲載領域）２３からなるブロック２２を設定するブロック割付手段１２１、ブロック２２の位置、サイズとブロックＩＤをブロック情報に設定し、テンプレート情報を生成するテンプレート生成手段１２２、制作担当のブロック２２内で、商品情報データベース３０１から取得した１つ以上の商品情報群から選択された商品情報を、指定されたコマに掲載し、選択された商品情報を関連付けるブロック商品割付手段１２３、作成したブロックの商品情報の割付情報から、媒体の制作に必要な当該ブロック２２のブロック制作データを生成し、当該ブロック２２のブロックＩＤを付与して掲載情報データベース３０２に保存するブロック制作データ生成手段１２４、テンプレート情報に基づいて、生成した各ブロック制作データを、ブロック制作データに付与されるブロックＩＤに対応付けられるブロック２２に配置し、媒体を構成するページ２１の媒体制作データを生成する媒体制作データ生成手段１２５等を備え、ブロック単位の複数のＤＴＰデータの効率的なページレイアウト処理を提供する。
【００６６】
これにより、媒体のページレイアウトに対して、制作担当者別のブロック制作データのマージ作業の作業時間の短縮、作業精度の向上を図ることを可能とし、更に、効率的なレイアウト作業の結果をその後のＤＴＰ作業に無駄なくスムーズに利用できるチラシ情報制作システムを提供できる。
【００６７】
尚、本実施の形態では、サーバ１０１に、データベース管理手段１１１、商品情報データベース３０１、掲載情報データベース３０２等を有し、クライアント端末（ページレイアウト装置）１０３に、ブロック割付手段１２１、テンプレート生成手段１２２、ブロック商品割付手段１２３、ブロック制作データ生成手段１２４、媒体制作データ生成手段１２５等を有し、これらの実行可能プログラムであるページレイアウトプログラムを起動し、サーバ１０１側のデータベース管理手段１１１を介して、商品情報データベース３０１や掲載情報データベース３０２をアクセスしながら、ページレイアウト処理を行うが、サーバ１０１側に、ページレイアウトプログラムを搭載し、クライアント端末１０３からサーバ１０１のアプリケーションであるページレイアウト手段をアクセス、起動してもよい。
【００６８】
尚、図７乃至図９等に示す処理を行うプログラムはＣＤ−ＲＯＭ等の記録媒体に保持させて流通させてもよいし、このプログラムを通信回線を介して送受することもできる。
【００６９】
以上、添付図面を参照しながら、本発明に係る媒体レイアウト支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７０】
【図１】本実施の形態に係る媒体レイアウト支援システム１００の概略構成を示す図
【図２】サーバ１０１のハードウェア構成図
【図３】記憶部２０２が保持する情報を示す図
【図４】商品情報データベース３０１と掲載情報データベース３０２のデータ構造を示す図
【図５】ページレイアウトの情報のデータ構成を示す図
【図６】クライアント端末（ページレイアウト装置）１０３のハードウェア構成図
【図７】ブロック割付処理、テンプレート生成処理の処理手順を示すフローチャート
【図８】ユーザ（担当者）による商品割付とブロック制作データ生成処理の処理手順を示すフローチャート
【図９】各ブロック制作データのマージによる媒体制作データ生成処理の処理手順を示すフローチャート
【図１０】担当者別のブロック割付とテンプレート生成処理の画面遷移図
【図１１】担当者による商品割付とブロック制作データ生成処理と媒体制作データ生成処理等のページレイアウト処理の画面遷移図
【符号の説明】
【００７１】
１００………媒体レイアウト支援システム
１０１………サーバ
１０３………クライアント端末（ページレイアウト装置）
１０９………ネットワーク
１１１………データベース管理手段
１２１………ブロック割付手段
１２２………テンプレート生成手段
１２３………ブロック商品割付手段
１２４………ブロック制作データ生成手段
１２５………媒体制作データ生成手段
２０１、４０１………制御部
２０２、４０２………記憶部
３０１………商品情報データベース
３０２………掲載情報データベース
３１０………商品情報
３２０………テンプレート情報
３２１………ブロック情報
３３０………ブロック制作データ
３４０………媒体制作データ
２１………ページ
２２………ブロック
２３………コマ
【図１】
2009080721.tif 000003
【図２】
2009080721.tif 000004
【図３】
2009080721.tif 000005
【図４】
2009080721.tif 000006
【図５】
2009080721.tif 000007
【図６】
2009080721.tif 000008
【図７】
2009080721.tif 000009
【図８】
2009080721.tif 000010
【図９】
2009080721.tif 000011
【図１０】
2009080721.tif 000012
【図１１】
2009080721.tif 000013